(57)【要約】【課題】  本発明の目的は、仕切板に向かって流れる空気における、熱交換器の一対の側部に向かう流量バランスを改善することにより、熱交換効率を高めることができる２方向吹出型の空気調和機の室内機を提供することにある。【解決手段】  中央部に配設された吸込口と、外周側の対向する２辺に沿って設けられた吹出口７ａ，７ｂと、２辺に沿って延設され少なくとも１辺が開口するように配置された熱交換器６ａ，６ｂと、熱交換器の開口部に設けられ熱交換器の内側流路を外部から区画する仕切板１４と、仕切板１４と熱交換器とによって区画された内側に配設された遠心送風機１とを備えた空気調和機の室内機において、仕切板１４における遠心送風機との対向面側に、遠心送風機側に向けて突出する突形状部１５を設けたものである。【選択図】  図１
2015081692.tif 000002
【特許請求の範囲】
【請求項１】
中央部に配設された吸込口と、外周側の対向する２辺に沿って設けられた吹出口と、前記２辺に沿って延設され少なくとも１辺が開口するように配置された熱交換器と、前記熱交換器の開口部に設けられ熱交換器の内側流路を外部から区画する仕切板と、前記仕切板と前記熱交換器とによって区画された内側に配設された遠心送風機とを備え、前記遠心送風機を駆動して前記吸込口を介して室内の空気を前記遠心送風機内に吸込み、前記遠心送風機から吐出した空気を前記内側流路を通じて前記熱交換器に流し、前記熱交換器で熱交換した空気を前記吹出口から室内に吹き出す空気調和機の室内機において、
仕切板における遠心送風機との対向面側に、遠心送風機側に向けて突出する突形状部を設けたことを特徴とする空気調和機の室内機。
【請求項２】
請求項１に記載の空気調和機の室内機において、
前記突形状部の頂点が前記２辺の吹出口に沿う熱交換器間の略中央にあることを特徴とする空気調和機の室内機。
【請求項３】
請求項１又は２に記載の空気調和機の室内機において、
前記突形状部の頂点から前記熱交換器側に向かう部分における仕切板の形状が、前記遠心送風機とは反対側に凸となるように形成されたことを特徴とする空気調和機の室内機。
【請求項４】
請求項１乃至３のいずれか１項に記載の空気調和機の室内機において、
前記熱交換器はコの字型あるいはＵ字型の熱交換器であり、対向する２辺の間に前記遠心送風機を備えると共に、対向する２辺の外側に前記吹出口が設けられており、前記熱交換器の２つの端部の間に前記仕切板が取り付けられていることを特徴とする空気調和機の室内機。
【請求項５】
請求項１乃至３のいずれか１項に記載の空気調和機の室内機において、
前記熱交換器は前記吹出口に対応する２辺に分割されて設けられ、２辺の熱交換器の両端部にそれぞれ仕切板が設けられ、２つの前記仕切板における遠心送風機との対向面側に、遠心送風機側に向けて突出する突形状部を設けたことを特徴とする空気調和機の室内機。
【請求項６】
請求項１乃至４のいずれか１項に記載の空気調和機の室内機において、
前記仕切板と前記熱交換器とによって区画された内側に複数の遠心送風機を備え、複数の遠心送風機間に、それぞれの遠心送風機に向けて突出した形状の仕切部材を設けたことを特徴とする空気調和機の室内機。
【請求項７】
請求項６に記載の空気調和機の室内機において、
前記仕切部材の突出部の頂点が、概ね前記複数の遠心送風機の回転中心を結ぶ直線上にあることを特徴とする空気調和機の室内機。
【請求項８】
請求項６又は７に記載の空気調和機の室内機において、
前記仕切部材の突出部の頂点から前記熱交換器側に向かう部分における仕切板の形状が、最も近傍に位置する遠心送風機とは反対側に凸となるように形成されたことを特徴とする空気調和機の室内機。
【発明の詳細な説明】
【技術分野】
【０００１】
本発明は、２方向吹出型の空気調和機の室内機に関する。
【背景技術】
【０００２】
空気調和機は、冷媒が封入された冷媒循環流路に、冷媒を圧縮する圧縮機と、冷媒と室内の空気とを熱交換させる室内熱交換器と、冷媒を減圧する膨張弁と、冷媒と外気とを熱交換させる室外熱交換器とを順次配設してなる冷凍サイクルを備えている。このうち室内熱交換器は、室内熱交換器に室内の空気を送る送風機と共に室内機の筐体内に格納されている。
【０００３】
このような室内機には様々な形態のものがあるが、近年、特に業務用の分野では、筐体を天井内に埋め込み、天井面に設置された化粧パネルを介して空気の吸込み、吹出しを行う、いわゆる天井埋込カセットタイプが主流となっている。天井埋込カセットタイプの室内機には、設けられた吹出口の数により複数の種類が存在するが、その中には室内機の対向する２辺に吹出口を設けた、２方向吹出型がある。
【０００４】
２方向吹出型の室内機として、特開２０００−２２０８５９号公報（特許文献１）に記載されたものがある。この室内機では、ユニット本体（筐体）と、ユニット本体の中央部に配置されたモータに固定されたファンと、底部とその両脇に設けられた一対の側部とにより３つの直線部が形成され、これら３つの直線部を２つの曲線部で接続したＵ字状の熱交換器と、前記一対の側部に沿って形成された２つの吹出口とを備えている（要約参照）。Ｕ字状の熱交換器により、ファンを囲む３辺に熱交換器が配置され、残る１辺には熱交換器が配置されていない。熱交換器が配置されていない１辺を塞ぐように仕切板が設けられ、この仕切板の外側に機械室が配置されている（段落００２７、図２参照）。
【先行技術文献】
【特許文献】
【０００５】
【特許文献１】特開２０００−２２０８５９号公報
【発明の概要】
【発明が解決しようとする課題】
【０００６】
特許文献１に記載された室内機では、遠心送風機のファンから吐出された空気のうち、熱交換器が配置された３辺に向かう空気は直接熱交換器を通過して、吹出口から機外に吹き出される。一方、熱交換器の開口側となる１辺に向かう流れは仕切板に衝突し、仕切板に沿って熱交換器の一対の側部を構成する各熱交換器部分へと流れる。このとき、遠心送風機から吐出された空気の多くは、仕切板に対して同じ方向に傾斜して衝突するため、熱交換器の一対の側部のうち、遠心送風機の回転方向前方に位置する一方の側部に流れる。そして、回転方向後方に位置する他方の側部に向かう流れは少なくなる。このため、熱交換器を構成する一対の側部の全体を有効に使って熱交換を行うことが難しい。
【０００７】
本発明の目的は、仕切板に向かって流れる空気における、熱交換器の一対の側部に向かう流量バランスを改善することにより、熱交換効率を高めることができる２方向吹出型の空気調和機の室内機を提供することにある。
【課題を解決するための手段】
【０００８】
上記目的を達成するために、本発明の空気調和機の室内機は、中央部に配設された吸込口と、外周側の対向する２辺に沿って設けられた吹出口と、前記２辺に沿って延設され少なくとも１辺が開口するように配置された熱交換器と、前記熱交換器の開口部に設けられ熱交換器の内側流路を外部から区画する仕切板と、前記仕切板と前記熱交換器とによって区画された内側に配設された遠心送風機とを備え、前記遠心送風機を駆動して前記吸込口を介して室内の空気を前記遠心送風機内に吸込み、前記遠心送風機から吐出した空気を前記内側流路を通じて前記熱交換器に流し、前記熱交換器で熱交換した空気を前記吹出口から室内に吹き出す空気調和機の室内機において、仕切板における遠心送風機との対向面側に、遠心送風機側に向けて突出する突形状部を設けたものである。
【発明の効果】
【０００９】
本発明によれば、突形状部を設けたことにより、熱交換器の一対の側部に向かう流量バランスが改善され、２方向吹出型の空気調和機の室内機において熱交換効率を高めることができる。
【００１０】
上記した以外の課題、構成及び効果は、以下の実施形態の説明により明らかにされる。
【図面の簡単な説明】
【００１１】
【図１】本発明に係る実施例１の空気調和機の室内機について、遠心送風機の回転軸に垂直な断面を示す断面図である。
【図２】図１のII−II断面を示す断面図であり、遠心送風機の回転軸を含む断面を示す断面図である。
【図３】本発明に係る実施例２の空気調和機の室内機について、遠心送風機の回転軸に垂直な断面を示す断面図である。
【図４】本発明に係る実施例３の空気調和機の室内機について、遠心送風機の回転軸に垂直な断面を示す断面図である。
【図５】本発明との比較例である空気調和機の室内機について、遠心送風機の回転軸に垂直な断面を示す断面図である。
【図６】図５のVI−VI断面を示す断面図であり、遠心送風機の回転軸を含む断面図である。
【図７】図５のVII−VII断面を示す断面図であり、遠心送風機の回転軸を含む断面図である。
【図８】仕切板１４の変更例について、図２と同様な断面を示す断面図である。
【図９】図８のIX−IX断面を示す断面図であり、仕切板１４を切断して示す断面図である。
【発明を実施するための形態】
【００１２】
本発明に係る空気調和機の室内機は、中央部に吸込口と外周側の対向する２辺に吹出口を備え、機内に備えられた遠心送風機により、室内から機内に空気を吸込み、送風機の下流側に結露水を受け止めるドレンパンとともに設けられた熱交換器により空気を冷却または加熱した後、熱交換器の下流側で対向する２辺に設けられた吹出口より室内へ空気を吹き出す構造である。
【００１３】
更に具体的には、以下の構成を備える。仕切板の遠心送風機側の形状を、遠心送風機に向けて突出した形状としている。突出形状の頂点は２辺の吹出口間の略中央にある。突出形状の頂点から熱交換器側に向かう部分の形状が、遠心送風機とは反対側に凸となるように構成している。熱交換器はコの字型あるいはＵ字型の熱交換器であり、対向する２辺の間に遠心送風機を備えるとともに、対向する２辺の外側に吹出口が設けられており、熱交換器の２つの端部の間に仕切板が取り付けられている。
【００１４】
また別の形態として、熱交換器は吹出口に対応する２辺のみに設けられ、機械室とは反対側の端部間にも仕切板が設けられ、２つの仕切板の双方が遠心送風機に向けて突出した形状となっている。
【００１５】
さらに別の形態として、複数の遠心送風機を備え、複数の遠心送風機間に、それぞれの遠心送風機に向けて突出した形状の仕切部材を設ける。遠心送風機間の部材の突出部の頂点が、概ね複数の遠心送風機の回転中心を結ぶ直線上にある。遠心送風機間の仕切部材の突出部の頂点から、遠心送風機から離れる方向に向かう部分の形状が、最も近傍の遠心送風機とは反対側に凸となるように構成している。
【００１６】
本発明に係る空気調和機の室内機の実施例を説明する前に、本発明との比較例である空気調和機の室内機について、図５乃至図７を参照して説明する。
【００１７】
図５に、本発明との比較例である２方向吹出型の空気調和機の室内機の一例の断面図を示す。この断面は室内機内部に備えられた遠心送風機１の回転軸に垂直な平面で室内機を切断した断面である。なお、符号１１７，１１８，１２２，１２３の矢印は空気の流れを示し、符号１２１の矢印は遠心送風機１のファンの回転方向を示す。
【００１８】
この室内機は筐体２の内部に遠心送風機１を備え、遠心送風機１の周囲にコの字型（Ｕ字状）の熱交換器６を備えている。Ｕ字状の熱交換器６は、遠心送風機の回転軸を挟んで略平行に延設された一対の側部６ａ，６ｂと、一対の側部６ａと６ｂとを連結する連結部（底部）６ｃとを有する。一対の側部６ａ，６ｂと連結部６ｃとは直線部として構成されている。側部６ａと連結部６ｃとの間および側部６ｂと６ｃとの間には、曲線部６ａｃおよび曲線部６ｂｃが設けられている。一対の側部６ａと６ｂとは熱交換器６の対向する２辺を構成し、連結部６ｃは一対の側部６ａと６ｂとに連設される１辺を構成する。なお、一対の側部６ａ，６ｂと連結部６ｃとは直線ではなく、湾曲していてもよい。
【００１９】
熱交換器６の対向する２辺の外側には室内機の空気を外部に吹き出すための吹出口７（７ａ，７ｂ）が設けられる。吹出口７ａ，７ｂは熱交換器６の一対の側部６ａ，６ｂに沿って直線状に設けられている。本実施例では、吹出口７ａ，７ｂと熱交換器６の一対の側部６ａ，６ｂとを略平行に構成しているが、傾斜角を有するように構成してもよい。熱交換器６のコの字（Ｕ字）の開口部には仕切板８が取り付けられ、遠心送風機１が収納される流路側と図示しない冷媒配管や補器等が収められる機械室９とを分離している。
【００２０】
図６に、図５のVI−VIで示される断面で空気調和機の室内機を切断した断面図を示す。筐体２の下部には、中心に吸込みグリル３と、その両側に吹出口７を備えた化粧パネル４が取り付けられる。吹出口７には、風向板２８が設けられている。遠心送風機１は筐体２の天板に取り付けられたモータ５に接続され、その周囲に備えられた熱交換器６の下部には冷房時に室内熱交換器６に生じる結露水を受けるためのドレンパン１０が設置されている。吸込みグリル３はフィルタ２３とともに化粧パネル４から着脱可能であり、フィルタ２３の清掃が容易な構造となっている。遠心送風機１の吸入側と吐出側を仕切るベルマウス１２はドレンパン１０の内周部に下方から取付けられており、遠心送風機１やモータ５の交換などのメンテナンスは吸込みグリル３を開け、ベルマウス１２を取り外すことで容易に行える構造となっている。
【００２１】
図７に、図５のVII−VIIで示される断面で空気調和機の室内機を切断した断面図を示す。この断面では、遠心送風機１の片側に熱交換器６、反対側に仕切板８が備えられており、その外側には吹出口は設けられていない。また、ベルマウス１２の下面には室内機の運転を制御するための図示しない制御基板を収納した電気品箱１３が設置されており、吸込みグリル３を開けることにより、容易に電気品箱１３のメンテナンスも可能な構造となっている。
【００２２】
この室内機ではモータ５を駆動させてモータ５の軸に接続された遠心送風機１を回転させることにより、図６の矢印１１６に示す様に、室内空気は吸込みグリル３、フィルタ２３、ベルマウス１２を通して遠心送風機１の吸込口１１に吸い込まれ、矢印１１７で示されるように遠心送風機１の吐出口２２より吐出される。遠心送風機１から吐出された空気は室内熱交換器６で熱交換されたあと、矢印１１８に示すように吹出口７より室内に吹き出される。
【００２３】
図５の断面で見ると、遠心送風機１が矢印１２１の方向に回転すると空気は遠心送風機１の周囲に矢印１１７のように吐出される。外側に吹出口７（７ａ，７ｂ）を備えた辺６ａ，６ｂでは、空気は熱交換器６を通った後にそのまま吹出口７から機外に吹き出されるが、外側に吹出口７のない辺６ｃでは熱交換器６を通った空気は矢印１１８に示すように２方向に分かれて吹出口吹出口７ａ，７ｂから吹き出される。また仕切板８側では遠心送風機１から吐き出された空気は矢印１２３に示すように仕切板８に衝突し損失が生じるとともに、空気の大部分が矢印１２２に示すように回転方向側に向かおうとすることで、流れが乱れ、風量低下の原因となる。低下した風量を補うためには遠心送風機１の回転数を上げなければならず、送風機動力を増加しなければならない。
【実施例１】
【００２４】
次に、本発明の実施例を、図面を参照して説明する。
【００２５】
図１は、本発明に係る第１の実施例における空気調和機の室内機の断面図である。この断面は遠心送風機１の軸に垂直な平面で室内機を切断したものである。図２は、図１のII−IIで示される断面で室内機を切断した断面図である。なお、符号１１６，１１７，１１８，１１９，１２０の矢印は空気の流れを示し、符号１２１の矢印は遠心送風機１のファンの回転方向を示す。
【００２６】
この室内機は、中央に吸込みグリル３を備えた化粧パネル４と化粧パネル４に接続された筐体２から構成されている。筐体内の中央部にはモータ５の軸に接続された遠心送風機１が設置され、遠心送風機１の周囲にはコの字型（Ｕ字型）の室内熱交換器６が配置される。熱交換器６の対向する２辺の外側には室内機の空気を外部に吹き出すための吹出口７（７ａ，７ｂ）が設けられる。
【００２７】
熱交換器６のコの字の開口部には仕切板１４が取り付けられ、遠心送風機１が収納される流路側と図示しない冷媒配管や補器等が収められる機械室９とを分離する。すなわち、仕切板１４は熱交換器６の開口部に設けられ、遠心送風機１が収容される内側流路と外部空間とを区画する。熱交換器６の下部には熱交換器６で生じる結露水を受けるためのドレンパン１０が設置される。遠心送風機１の下方には、中央部に、上方に向かって徐々に径を小さくしながら遠心送風機１の吸込み口１１に向けて立ち上がった開口部をもつベルマウス１２が取り付けられているとともに、ベルマウス１２の下面には室内機の運転を制御するための図示しない制御基板を収納した電気品箱１３が設置されている。また、仕切板１４は、遠心送風機１側に向けて飛び出した凸形状に形成されている。
【００２８】
仕切板１４はその頂点部１５が仕切板１４に接続された熱交換器６の両側の辺６ａと辺６ｂとの間（本実施例では略中心に位置している）に設けられている。また頂点部１５は角を落としたＲ形状となっているとともに、頂点部１５から熱交換器６ａ，６ｂに至る部分は遠心送風機１とは反対側に凸な曲線で構成されている。なお、頂点部１５は、遠心送風機１の回転軸方向において、少なくとも吐出口２２の開口範囲に設けられていることが好ましく、本実施例では、熱交換器６の高さ寸法（遠心送風機１の回転軸方向に沿う方向の長さ）の全体に亘って設けている。
【００２９】
仕切板１４は板金で形成され、プレス加工等により折り曲げられ、頂点部１５や、頂点部１５から辺６ａ，６ｂに至る途中の曲面で構成された傾斜面が形成されている。図５で説明した仕切板８に、頂点部１５とその両側の傾斜面とを形成した凸形状部材を取り付けることにより、凸形状を構成してもよい。本発明に係る実施例では、仕切板１４の遠心送風機１と対向する面側に、遠心送風機１側に向けて突出する凸形状部を設ければよい。
【００３０】
本実施例では、熱交換器６の辺６ａ，６ｂを結ぶ方向（以下、幅方向という）における仕切板１４の両端部が熱交換器６の辺６ａ，６ｂに連結されている。そして、仕切板１４の両端部に対して頂点部１５が、遠心送風機１に近づくように突出し、幅方向における頂点部１５の両側には曲面で構成された傾斜面が設けられている。
【００３１】
本実施例の空気調和機の室内機では、遠心送風機１の仕切板１４側に吐出する空気は、仕切板１４の頂点部１５よりも回転方向側（回転方向前方）においては、矢印１１９で示すように仕切板１４の壁面に沿って回転方向側に流れ、熱交換器６を通して吹出口７から機外へ吹き出される。一方、仕切板１４の頂点部１５よりも反回転方向側（回転方向後方）においては、仕切板１４の頂点部１５により回転方向側に流れるのを妨げられ、矢印１２０で示すように反回転方向側に戻って熱交換器６を通り、吹出口７から機外へ吹き出される。このとき、仕切板１４の形状を遠心送風機１の反対側に凸な曲線としたことで、空気をスムーズに熱交換器６に導くことができる。
【００３２】
このように仕切板１４の凸形状部（突形状部）により、仕切板１４の遠心送風機１と対向する面側の空気の流れを、回転方向側と反回転方向側とに分流させることができる。これにより、熱交換器６の一対の側部（辺）６ａ，６ｂに向かう流量バランスを改善することができる、また、遠心送風機１から吐出された空気流れが、熱交換器６の辺６ｂの近傍で仕切板１４に衝突すると、渦を生じたりして流れが乱れる。この乱れは、仕切板１４に衝突した後で熱交換器６の辺６ｂに向かおうとする僅かな空気の流れを妨害する。これにより、熱交換器６の辺６ｂの仕切板１４の近傍においては、流入する空気流れが減少し、熱交換効率が低下することになる。また、熱交換器６の辺６ｂの流量が減ることは、熱交換器６における空気の通路抵抗が増加することとなり、風量の低下を招く。本実施例によれば、遠心送風機１の吐出空気が仕切板１４に衝突することによって流れが乱れることを防ぎ、風量の低下、更には送風機動力の増加を抑制することができる。
【００３３】
図８及び図９を参照して、仕切板１４の変更例を説明する。図８は、仕切板１４の変更例について、図２と同様な断面を示す断面図である。図９は、図８のIX−IXで示される断面で仕切板１４を切断した断面図である。
【００３４】
筐体２は板金でできており、その内側面には断熱のために発泡材２９が設けられている。図８では、筐体２の裏面に設けられた発泡材に凸形状部を一体に形成し、この凸形状部１４’に仕切板１４の機能を担わせている。図９に示すように、凸形状部１４’の遠心送風機１側の表面は、仕切板１４と同様に、遠心送風機１側に向けて飛び出した凸形状に形成されている。凸形状の頂点部１５が熱交換器６の両側の辺６ａと辺６ｂとの間（本実施例では略中心に位置している）に設けられ、頂点部１５から熱交換器６の辺６ａ，６ｂに至る部分は遠心送風機１とは反対側に凸な曲線（曲面）で構成されている。また頂点部１５は角を落としたＲ形状となっている。凸形状部１４’の遠心送風機１とは反対側の面（裏面）は、平面であり、この平面と凸形状の表面との間は発泡材で満たされており、凸形状部１４’の強度と断熱性を高めている。
【００３５】
凸形状部１４’は筐体２の裏面の発泡材とは別体として形成し、筐体２の裏面の発泡材に接するようにして取り付けてもよい。或いは、仕切板１４を設け、この仕切板１４に発泡材で形成した凸形状部１４’を固定してもよい。
【００３６】
本実施例の空気調和機の室内機では、仕切板１４が凸形状部を有することを除いて、図５乃至図７で説明した空気調和機の室内機と同様の構成を備えている。これら同様の構成については、図５乃至図７で説明した構成及びその作用効果の記載が適用される。
【実施例２】
【００３７】
図３に本発明に係る第２の実施例における空気調和機の室内機の断面図を示す。この断面は遠心送風機１の軸に垂直な平面で室内機を切断したものである。なお、符号１４３，１４４，１４５，１４６，１４７の矢印は空気の流れを示し、符号１４２の矢印は遠心送風機１のファンの回転方向を示す。
【００３８】
本実施例が第１の実施例と異なる点は、熱交換器が第１の熱交換器３６ａと第２の熱交換器３６ｂとの２つに分割され、第１の熱交換器３６ａの一方の端部と第２の熱交換器３６ｂの一方の端部とが仕切板１４ａで接続され、第１の熱交換器３６ａの他方の端部と第２の熱交換器３６ｂの他方の端部とが仕切板１４ｂで接続されている点である。仕切板１４ａ，１４ｂは、遠心送風機１側に向けて飛び出した凸形状に形成されており、第１の実施例における仕切板１４と同じ構成であり、仕切板１４と同様の機能を持つ。すなわち、仕切板１４ａ，１４ｂには、頂点部１５ａ，１５ｂを有し、頂点部１５ａ，１５ｂから熱交換器３６ａ，３６ｂに至る部分は遠心送風機１とは反対側に凸な曲線で構成されている。
【００３９】
第１の熱交換器３６ａの外側には第１の熱交換器３６ａに沿って吹出口３７ａが設けられており、第２の熱交換器３６ｂの外側には第２の熱交換器３６ｂに沿って吹出口３７ｂが設けられている。
【００４０】
このような構造では、熱交換器３６ａ，３６ｂの両端の仕切板で吐出空気の衝突、流れの乱れが生じる。そこで、仕切板１４ａ，１４ｂを凸形状に形成することにより、第１の実施例の仕切板１４で得られる効果を仕切板１４ａ，１４ｂで実現し、比較例における仕切板８で生じる問題を解決する。これにより、仕切板１４ａ，１４ｂの双方で生じる流れの乱れを抑制し、風量の低下、送風機動力の増加を抑制することができる。
【００４１】
第１の実施例で説明した仕切板１４の構成や作用効果は第２の実施例における仕切板１４ａ，１４ｂでも同様であり、図８および図９で変更例として説明した構成を、この第２の実施例における仕切板１４ａ，１４ｂにも適用できる。
【実施例３】
【００４２】
図４に本発明に係る第３の実施例における空気調和機の室内機の断面図を示す。この断面は遠心送風機１ａ，１ｂの軸に垂直な平面で室内機を切断したものである。なお、符号１６３，１６４，１６５，１６７，１６８の矢印は空気の流れを示し、符号１６１，１６２の矢印は遠心送風機１のファンの回転方向を示す。
【００４３】
本実施例が前記第１および第２の実施例と異なる点は、コの字型（Ｕ字型）の熱交換器５３の内側に２台の遠心送風機１ａおよび１ｂが配置されており、２台の遠心送風機１ａおよび１ｂの中間に、それぞれの遠心送風機１ａおよび１ｂに向けて飛び出した形状（凸形状）をした仕切部材５６が設けられている点である。
【００４４】
本実施例の熱交換器５３は、第１の実施例の熱交換器６と同様に、遠心送風機の回転軸を挟んで略平行に延設された一対の側部５３ａ，５３ｂと、一対の側部５３ａと５３ｂとを連結する連結部（底部）５３ｃとを有する。一対の側部５３ａ，５３ｂと連結部５３ｃとは直線部として構成されている。側部５３ａと連結部５３ｃとの間および側部５３ｂと５３ｃとの間には、曲線部５３ａｃおよび曲線部５３ｂｃが設けられている。一対の側部５３ａと５３ｂとは熱交換器５３の対向する２辺を構成し、連結部５３ｃは一対の側部５３ａと５３ｂとに連設される１辺を構成する。
【００４５】
熱交換器５３の辺（側部）５３ａの外側には辺５３ａに沿って吹出口５９ａが設けられており、熱交換器５３の辺（側部）５３ｂの外側には辺５３ｂに沿って吹出口５９ｂが設けられている。
【００４６】
Ｕ字型の熱交換器５３の開口部（熱交換器５３の側部（辺）５３ａと側部（辺）５３ｂとの間）には、第１の実施例と同様な仕切板１４が設けられている。仕切板１４は、遠心送風機１ａ側に遠心送風機１ａに向けて飛び出した凸形状に形成されている。
【００４７】
仕切部材５６は頂点部５７，５８が熱交換器５３の対向する２辺５３ａと５３ｂとの間（本実施例では略中心に位置している）に設けられており、頂点部５７，５８から熱交換器５３の２辺５３ａ，５３ｂに向かう部分は、近傍に位置して対向する遠心送風機１ａまたは１ｂの反対側に凸となるように構成されている。２方向吹出型の室内機では、大容量機などで複数の遠心送風機を備える場合がある。このとき複数の遠心送風機の間ではそれぞれからの吐出空気が衝突することで乱れが生じるため、その間に仕切を入れる場合がある。本実施例では仕切をそれぞれの遠心送風機１ａおよび１ｂ側に飛び出した形状とすることで，双方の遠心送風機１ａ，１ｂから吐出された空気を乱れなく熱交換器５３に導くことができ、より効果的に風量の低下，送風機動力の増加を抑制することができる。なお、本実施例では遠心送風機が２台備えられているが、３台以上の場合はそれぞれの遠心送風機の間に仕切部材５６を設けるとよい。
【００４８】
本実施例の仕切部材５６に対して第１の実施例で説明した仕切板１４の構成が適用され、仕切板１４と同様の作用効果が得られる。なお、仕切部材５６においては、遠心送風機１ａ側と１ｂ側とを完全に仕切る必要がないため、仕切部材５６の幅方向における両端部は熱交換器５３の辺５３ａ，５３ｂとの間に隙間が設けられている。
【００４９】
なお、以上の各実施例において、仕切板自体の形状を遠心送風機に向けて飛び出す形状としているが、仕切板に凸形状部材を取り付ける構造としてもよい。仕切板自体で凸形状を形成すれば、部品点数を減らし、コストを削減することができる。また、遠心送風機から吐出される空気を二つの吹出口にバランスよく分配させるために、頂点部は仕切板に接続された熱交換器の両側の辺間の略中心に位置していることが望ましいが、中心からずらし、どちらかに偏った位置に頂点がある場合でも、一定の効果は得られる。また、頂点部から熱交換器に至る部分は遠心送風機の反対側に凸な曲線で構成されていることが望ましいが、この部分が直線で構成されていてもよい。
【００５０】
上述した各実施例によれば、機内に備えられた遠心送風機により、室内から機内に空気を吸込み、熱交換器により空気を冷却または加熱した後、熱交換器の下流側で対向する２辺に設けられた吹出口より室内へ空気を吹き出す空気調和機の室内機において、遠心送風機が収納される流路側と冷媒配管や補器等が収められる機械室とを分離する仕切板に遠心送風機の吐出流れが衝突することにより生じる損失を低減し、風量の低下および送風機動力の増加を抑制することができる。
【００５１】
なお、本発明は上記した各実施例に限定されるものではなく、様々な変形例が含まれる。例えば、上記した実施例は本発明を分かりやすく説明するために詳細に説明したものであり、必ずしも全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５２】
１，１ａ，１ｂ…遠心送風機、２…筐体、３…吸込みグリル、４…化粧パネル、５…モータ、６…熱交換器、７…吹出口、８…仕切板、９…機械室、１０…ドレンパン、１１…遠心送風機の吸込口、１２…ベルマウス、１３…電気品箱、１４，１４ａ，１４ｂ…仕切板、１４’…凸形状部、１５，１５ａ，１５ｂ…頂点部、２２…遠心送風機の吐出口、２３…フィルタ、２８…風向板、３６ａ…第１の熱交換器、３６ｂ…第２の熱交換器、５３…熱交換器、５６…仕切部材、５７，５８…頂点部。
【図１】
2015081692.tif 000003
【図２】
2015081692.tif 000004
【図３】
2015081692.tif 000005
【図４】
2015081692.tif 000006
【図５】
2015081692.tif 000007
【図６】
2015081692.tif 000008
【図７】
2015081692.tif 000009
【図８】
2015081692.tif 000010
【図９】
2015081692.tif 000011